(57)【特許請求の範囲】
【請求項１】
巻出し装置（２００）上に材料を装填する方法であって、
近位端部分（２１０）及び遠位端部分（２１２）を含む心棒（２０８）を提供するステップであって、前記心棒（２０８）はフレーム（２０４）に隣接しており、前記心棒の一部分が心棒支持部材（２１４）と係合されている、ステップと、
前記心棒（２０８）上で第１のスプール（２２２）を支持するステップであって、前記第１のスプール（２２２）が第１のコア（２２４）と前記第１のコア（２２４）の周りに巻かれた材料の第１のストランド（２２６）とを備え、前記第１のコア（２２４）が前記心棒（２０８）を受け入れるように適合されている、ステップと、
第２のコア（２３４）と前記第２のコア（２３４）の周りに巻かれた材料の第２のストランド（２３６）とを備える、第２のスプール（２３２）を提供するステップと、
前記第２のスプール（２３２）を、近位端部分（２５６）及び遠位端部分（２５８）を含む装填シャフト（２５４）上に配置するステップであって、前記第２のコア（２３４）が前記装填シャフト（２５４）を受け入れるように適合されている、ステップと、
前記装填シャフト（２５４）を前記心棒（２０８）と摺動可能に係合するステップと、  前記心棒支持部材（２１４）を前記心棒（２０８）から分離するステップと、
前記第２のスプール（２３２）を前記装填シャフト（２５４）に沿ってかつ前記心棒（２０８）上へと軸線方向に動かすステップと、
前記心棒支持部材（２１４）を前記心棒（２０８）と再び係合するステップと、
前記装填シャフト（２５４）を前記心棒（２０８）から係合解除するステップと、を含み、
前記装填シャフト（２５４）の前記近位端部分（２５６）が、ベース部材（２５２）と接続されており、前記装填シャフト（２５４）を前記心棒（２０８）と摺動可能に係合する前記ステップが、前記ベース部材（２５２）を前記フレーム（２０４）と係合するステップを更に含み、
だぼ部材（２６０）が前記ベース部材（２５２）と接続されており、前記フレーム（２０４）が、前記だぼ部材（２６０）を受け入れるように適合された開口部（２０６）を備え、前記ベース部材（２５２）を前記フレーム（２０４）と係合する前記ステップが、前記だぼ部材（２６０）を前記開口部（２０６）に挿入するステップを更に含む、方法。
【請求項２】
巻出し装置（２００）上に材料を装填する方法であって、
近位端部分（２１０）及び遠位端部分（２１２）を含む心棒（２０８）を提供するステップであって、前記心棒（２０８）はフレーム（２０４）に隣接しており、前記心棒の一部分が心棒支持部材（２１４）と係合されている、ステップと、
前記心棒（２０８）上で第１のスプール（２２２）を支持するステップであって、前記第１のスプール（２２２）が第１のコア（２２４）と前記第１のコア（２２４）の周りに巻かれた材料の第１のストランド（２２６）とを備え、前記第１のコア（２２４）が前記心棒（２０８）を受け入れるように適合されている、ステップと、
第２のコア（２３４）と前記第２のコア（２３４）の周りに巻かれた材料の第２のストランド（２３６）とを備える、第２のスプール（２３２）を提供するステップと、
前記第２のスプール（２３２）を、近位端部分（２５６）及び遠位端部分（２５８）を含む装填シャフト（２５４）上に配置するステップであって、前記第２のコア（２３４）が前記装填シャフト（２５４）を受け入れるように適合されている、ステップと、
前記装填シャフト（２５４）を前記心棒（２０８）と摺動可能に係合するステップと、  前記心棒支持部材（２１４）を前記心棒（２０８）から分離するステップと、
前記第２のスプール（２３２）を前記装填シャフト（２５４）に沿ってかつ前記心棒（２０８）上へと軸線方向に動かすステップと、
前記心棒支持部材（２１４）を前記心棒（２０８）と再び係合するステップと、
前記装填シャフト（２５４）を前記心棒（２０８）から係合解除するステップと、を含み、
前記装填シャフト（２５４）の前記近位端部分（２５６）が、ベース部材（２５２）と接続されており、前記装填シャフト（２５４）を前記心棒（２０８）と摺動可能に係合する前記ステップが、前記ベース部材（２５２）を前記フレーム（２０４）と係合するステップを更に含み、
だぼ部材（２６０）が前記フレーム（２０４）と接続されており、前記ベース部材（２５２）が、前記だぼ部材（２６０）を受け入れるように適合された開口部（２０６）を備え、前記ベース部材（２５２）を前記フレーム（２０４）と係合する前記ステップが、前記だぼ部材（２６０）を前記開口部（２０６）に挿入するステップを更に含む、方法。
【請求項３】
前記第１のストランド（２２６）が第１の端部部分（２２８）及び第２の端部部分（２３０）を備え、前記第２のストランド（２３６）が第１の端部部分（２３８）及び第２の端部部分（２４０）を備え、前記方法が、前記第１のストランド（２２６）の前記第２の端部部分（２３０）を前記第２のストランド（２３６）の前記第１の端部部分（２３８）と接続するステップを更に含む、請求項１又は２に記載の方法。
【請求項４】
前記材料の第１のストランド（２２６）を、前記心棒（２０８）の前記遠位端（２１２）を越える方向に、前記第１のコア（２２４）から巻き出すステップを更に含む、請求項１〜３のいずれか一項に記載の方法。
【請求項５】
前記装填シャフト（２５４）の前記遠位端部分（２５８）を、前記心棒（２０８）の前記近位端部分（２１０）と係合するステップを更に含む、請求項１〜４のいずれか一項に記載の方法。
【請求項６】
前記装填シャフト（２５４）の前記遠位端部分（２５８）が、前記心棒（２０８）の前記近位端部分（２１０）内に受け入れられている、請求項５に記載の方法。
【請求項７】
前記心棒支持部材（２１４）が、前記フレーム（２０４）と可動に接続された第１のブロック部材（２６８）及び第２のブロック部材（２７０）を備え、前記心棒支持部材（２１４）を前記心棒（２０８）から分離する前記ステップが、前記第１のブロック部材（２６８）及び前記第２のブロック部材（２７０）を、長手方向心棒軸線（２１６）に対して垂直な方向に動かすステップを更に含む、請求項１又は２に記載の方法。
【請求項８】
前記心棒支持部材（２１４）が、前記フレーム（２０４）と枢動可能に接続されたアーム（２８０）を備え、前記心棒支持部材（２１４）を前記心棒（２０８）から分離する前記ステップが、前記アーム（２８０）を枢動させるステップを更に含む、請求項１又は２に記載の方法。
【請求項９】
前記第１のコア（２２４）を前記心棒（２０８）に沿って前記第２のコア（２３４）で押すことによって、空のスプール（２４８）を前記心棒（２０８）の前記遠位端部分（２１２）から除去するステップを更に含む、請求項１〜８のいずれか一項に記載の方法。
【請求項１０】
前記材料の第１のストランド（２２６）を、前記心棒（２０８）の前記遠位端（２１２）を越える方向に前記第１のコア（２２４）から巻き出すのと同時に、前記空のスプール（２４８）が前記心棒（２０８）から除去されている、請求項９に記載の方法。
【請求項１１】
巻出し装置（２００）であって、
フレーム（２０４）と、
近位端部分（２１０）及び遠位端部分（２１２）を含む心棒（２０８）であって、前記心棒（２０８）は、第１のコア（２２４）と前記第１のコア（２２４）の周りに巻かれた材料の第１のストランド（２２６）とを備えるスプール（２２２）を支持するように適合され、前記心棒（２０８）は前記第１のコア（２２４）によって受け入れられるように適合されている、心棒（２０８）と、
前記心棒（２０８）と係合するように構成された心棒支持部材（２１４）と、
第２のコア（２４４）と前記第２のコア（２４４）の周りに巻かれた材料の第２のストランド（２４６）とを備える交換用スプール（２４２）を支持する装填装置（２５０）であって、
ベース部材（２５２）と、
近位端部分（２５６）及び遠位端部分（２５８）を含む装填シャフト（２５４）であって、前記装填シャフト（２５４）の前記近位端部分（２５６）が前記ベース部材（２５２）と接続され、前記遠位端部分（２５８）が前記心棒（２０８）の前記近位端部分（２１０）と係合するように構成されており、前記装填シャフト（２５４）が前記交換用スプール（２４２）の前記第２のコア（２４４）によって受け入れられるように適合されている、装填シャフト（２５４）と、を備える、装填装置（２５０）と、を備え、
第１の構成では、前記装填シャフト（２５４）の前記遠位端部分（２５８）が前記心棒（２０８）の前記近位端部分（２１０）と摺動可能に係合されており、前記心棒支持部材（２１４）が前記心棒（２０８）から分離されており、それによって前記交換用スプール（２４２）の前記第２のコア（２４４）が前記装填シャフト（２５４）に沿って前記心棒（２０８）上へと動くことが可能であり、
第２の構成では、前記装填シャフト（２５４）の前記遠位端部分（２５８）が前記心棒（２０８）の前記近位端部分（２１０）と分離されており、前記心棒支持部材（２１４）が前記心棒（２０８）と係合されており、
前記フレーム（２０４）内の開口部（２０６）と、前記ベース部材（２５２）と接続されただぼ部材（２６０）とを更に備え、前記第１の構成では、前記だぼ部材（２６０）が前記開口部（２０６）に挿入されている、装置。
【請求項１２】
巻出し装置（２００）であって、
フレーム（２０４）と、
近位端部分（２１０）及び遠位端部分（２１２）を含む心棒（２０８）であって、前記心棒（２０８）は、第１のコア（２２４）と前記第１のコア（２２４）の周りに巻かれた材料の第１のストランド（２２６）とを備えるスプール（２２２）を支持するように適合され、前記心棒（２０８）は前記第１のコア（２２４）によって受け入れられるように適合されている、心棒（２０８）と、
前記心棒（２０８）と係合するように構成された心棒支持部材（２１４）と、
第２のコア（２４４）と前記第２のコア（２４４）の周りに巻かれた材料の第２のストランド（２４６）とを備える交換用スプール（２４２）を支持する装填装置（２５０）であって、
ベース部材（２５２）と、
近位端部分（２５６）及び遠位端部分（２５８）を含む装填シャフト（２５４）であって、前記装填シャフト（２５４）の前記近位端部分（２５６）が前記ベース部材（２５２）と接続され、前記遠位端部分（２５８）が前記心棒（２０８）の前記近位端部分（２１０）と係合するように構成されており、前記装填シャフト（２５４）が前記交換用スプール（２４２）の前記第２のコア（２４４）によって受け入れられるように適合されている、装填シャフト（２５４）と、を備える、装填装置（２５０）と、を備え、
第１の構成では、前記装填シャフト（２５４）の前記遠位端部分（２５８）が前記心棒（２０８）の前記近位端部分（２１０）と摺動可能に係合されており、前記心棒支持部材（２１４）が前記心棒（２０８）から分離されており、それによって前記交換用スプール（２４２）の前記第２のコア（２４４）が前記装填シャフト（２５４）に沿って前記心棒（２０８）上へと動くことが可能であり、
第２の構成では、前記装填シャフト（２５４）の前記遠位端部分（２５８）が前記心棒（２０８）の前記近位端部分（２１０）と分離されており、前記心棒支持部材（２１４）が前記心棒（２０８）と係合されており、
前記ベース部材（２５２）内の開口部（２０６）と、前記フレーム（２０４）と接続されただぼ部材（２６０）とを更に備え、前記第１の構成では、前記だぼ部材（２６０）が前記開口部（２０６）に挿入されている、装置。
【発明の詳細な説明】
【技術分野】
【０００１】
本開示は、吸収性物品を製造する装置及び方法に関し、より詳細には、吸収性物品で使用される材料を巻き出す装置及び方法に関する。
【背景技術】
【０００２】
おむつ及び他の様々なタイプの吸収性物品は、前進する連続した材料のウェブに構成要素を追加し、また別の方法でそれを修整することによって、組立てラインに沿って組み立てられてもよい。例えば、いくつかのプロセスでは、前進する材料のウェブは他の前進する材料のウェブと組み合わされる。他の例では、前進する材料のウェブから作成される個々の構成要素は、前進する材料のウェブと組み合わされ、それらが次いで、他の前進する材料のウェブと組み合わされる。おむつを製造するのに使用される材料のウェブ及び構成部品としては、バックシート、トップシート、吸収性コア、前側耳部及び／又は後側耳部、締結具構成要素、並びに弾性ウェブを含む様々なタイプのウェブ、並びに脚部弾性体、バリアレッグカフ、及び腰部弾性体などの構成要素を挙げることができる。所望の構成部品が組み立てられると、前進するウェブ（１つ以上）及び構成部品は、最終的にナイフカットされて、ウェブ（１つ以上）が個別のおむつ又は他の吸収性物品へと分離させる。個別のおむつ又は吸収性物品はまた、次に折り畳まれ包装されてもよい。
【０００３】
上述したように、組立てプロセスの間、弾性構成要素などの構成部品がおむつを製造するのに使用される。一般に、構成部品は、コアを備えるスプール上に供給され、材料がコアの周りに巻き付けられる。吸収性物品の製造で使用されるスプールは、巻出しステーションの製造ラインに隣接して位置する。従来、巻出しステーションは大型であり、製造設備における床面積のかなりの量を占める。巻出しステーションが大型であることは、一部には、高い製造速度で動作する必要があり、単一の吸収性物品に比較的多量の構成要素材料が使用されることにも起因する。製造に際して製造ラインに十分な材料を供給するために、いくつかの材料スプールをラインに隣接して格納しなければならない。従来、巻出しステーションは垂直の階層で装着されたスプールから成る。各階層は、活性スプール及び予備スプールの少なくとも２つのスプールを有する。同じ階層のスプールは、同じ水平面内で互いに隣接して位置する。
【０００４】
活性スプールは、弾性材料が、計量デバイス又はテンションデバイスなどの制御デバイスを通して供給されてもよいようにして巻き出される。制御デバイスは、弾性材料がある角度で巻き出されるように、活性スプールと予備スプールとの間に位置決めされる。より具体的には、活性スプール及び予備スプールそれぞれのコアは制御デバイスに対して平行ではない。各スプールを制御デバイスに対してある角度にすることによって、製造者が、活性スプールが空になった後に予備スプールに切り替えることが可能になる。継ぎ目のない移行のため、製造は、活性スプールの終わりを予備スプールの始まりに接続する。それにより、空のスプールを除去し、新しい予備スプールと置き換えることができる。したがって、巻出しステーションは、スプールの装填及び取り出しのために十分な空間を有さなければならない。スプールは、スプールのコアを、一般に固定の軸体であるスプールホルダ上にねじ止めすることによって、装填され取り出される。より具体的には、スプールホルダは、スプールを制御デバイスに隣接して装填することができる、制御デバイスに隣接した開放部分を有する。
【０００５】
しかしながら、上述のものに類似した巻出しデバイスを使用することでいくつかの問題が提起される。例えば、巻出しステーションは、少なくとも活性スプール及び交換用スプールが水平に、また互いに隣接して位置する、スプールの複数の垂直な階層を取り扱うのに十分なサイズのものでなければならない。したがって、巻出しステーションは大型であり、製造設備において比較的多量の床面積を占めていた。更に、巻出しステーションは、制御システムに隣接したスプールホルダの部分から、オペレータがスプールを装填し取り出すのに十分な空間を有さなければならない。更にまた、オペレータは、材料を能動的に巻き出している付近で巻出しステーションの装填を行うことが求められる。したがって、オペレータは、装填及び取り出しの際、活性スプール上で巻き出されている材料を破損しないように、極度に慎重にならなければならない。材料の破損は、例えば、欠陥のある製品及び製造のダウンタイムにつながる恐れがある。
【発明の概要】
【発明が解決しようとする課題】
【０００６】
したがって、使用される床面積を比較的少量にすることができ、活性スプールの巻出しと干渉する可能性を低減しながら巻出しステーションの装填を可能にする、吸収性物品の材料を巻き出す方法及び装置が求められている。
【課題を解決するための手段】
【０００７】
本開示の態様は、吸収性物品を組み立てる装置及び方法に関する。装置は、巻出し装置及び装填装置を含んでもよい。巻出し装置はフレーム及び心棒を含んでもよい。心棒は、近位端部分及び遠位端部分を含んでもよく、コアを備えるスプールと、コアの周りに巻かれた材料のストランドとを支持するように適合されてもよい。より具体的には、心棒はスプールのコアによって受け入れられるように適合されている。心棒支持部材は、心棒と関連付けられてもよく、フレームに対して可動であってもよい。更に、装置は、コアを含む交換用スプール及びコアの周りに巻かれた材料のストランドを支持する、装填装置を含んでもよい。装填装置は、ベース部材及び装填シャフトを備えてもよい。装填シャフトは、近位端部分及び遠位端部分を含んでもよい。装填シャフトの近位端部分はベース部材と接続されてもよく、遠位端部分は心棒の近位端部分と関連するように構成されてもよい。装置は、第１の構成又は第２の構成であってもよい。第１の構成では、装填シャフトの遠位端部分は心棒の近位端部分と摺動可能に係合され、心棒支持部材は心棒から分離され、それによって交換用スプールのコアが装填シャフトに沿って心棒上へと動くことができる。第２の構成では、装填シャフトの遠位端部分は心棒の近位端部分と分離され、心棒支持部材は心棒と関連付けられている。
【０００８】
別の実施形態では、巻出し装置上に材料を装填する方法は、近位端部分及び遠位端部分を含む心棒を提供するステップであって、心棒はフレームに隣接しており、心棒の一部分が心棒支持部材と関連付けられている、ステップと、心棒上で第１のスプールを支持するステップであって、第１のスプールが第１のコアと第１のコアの周りに巻かれた材料の第１のストランドとを備え、第１のコアが心棒を受け入れるように適合されている、ステップと、第２のコアと第２のコアの周りに巻かれた材料の第２のストランドとを備える、第２のスプールを提供するステップと、第２のスプールを、近位端部分及び遠位端部分を含む装填シャフト上に配置するステップであって、第２のコアが装填シャフトを受け入れるように適合されている、ステップと、装填シャフトを心棒と摺動可能に係合するステップと、心棒支持部材を心棒から分離するステップと、第２のスプールを支持シャフトに沿ってかつ心棒上へと軸線方向に動かすステップと、支持部材を心棒と再び関連付けるステップと、装填シャフトを心棒から係合解除するステップと、を含む。
【図面の簡単な説明】
【０００９】
【図１】おむつパンツの斜視図である。
【図２】図１に示されるおむつパンツの部分切り取り平面図である。
【図３Ａ】線３Ａ−３Ａに沿った図２のおむつパンツの断面図である。
【図３Ｂ】線３Ｂ−３Ｂに沿った図２のおむつパンツの断面図である。
【図４】本開示の１つの非限定的な実施形態による巻出し装置及び装填装置の平面図である。
【図５】本開示の１つの非限定的な実施形態による巻出し装置及び装填装置の平面図である。
【図６】本開示の１つの非限定的な実施形態による巻出し装置及び装填装置の斜視図である。
【図７】本開示の１つの非限定的な実施形態による巻出し装置及び装填装置の側面図である。
【図８Ａ】本開示の１つの非限定的な実施形態による巻出し装置及び装填装置の平面図である。
【図８Ｂ】本開示の１つの非限定的な実施形態による巻出し装置及び装填装置の斜視図である。
【図８Ｃ】本開示の１つの非限定的な実施形態による心棒支持部材の概略図である。
【図８Ｄ】本開示の１つの非限定的な実施形態による心棒支持部材の概略図である。
【図９】本開示の１つの非限定的な実施形態による巻出し装置及び装填装置の斜視図である。
【図１０】本開示の１つの非限定的な実施形態による巻出し装置及び装填装置の平面図である。
【図１１】本開示の１つの非限定的な実施形態による第１のスプール及び第２のスプールの概略図である。
【図１２】本開示の１つの非限定的な実施形態による巻出し装置及び装填装置の斜視図である。
【図１３】本開示の１つの非限定的な実施形態による巻出し装置の側面図である。
【図１４】本開示の１つの非限定的な実施形態による巻出し装置及び装填装置の斜視図である。
【図１５】本開示の１つの非限定的な実施形態による巻出し装置及び装填装置の斜視図である。
【発明を実施するための形態】
【００１０】
本開示を理解する上で、以下の用語説明が有用であり得る。
本明細書で使用するとき、「吸収性物品」は、主な機能が、汚れ及び排泄物を吸収及び保持することである消費者製品を指す。本明細書で使用するとき、「おむつ」は、乳幼児及び失禁症状のある人が下部胴体の周りで通常着用する吸収性物品を指す。本明細書で使用するとき、「使い捨て」という用語は、洗濯されること、又は別の方法で吸収性物品として再生若しくは再使用されることが一般に意図されない、吸収性物品を説明するために使用される（例えば、１回の使用後に廃棄されることが意図され、更に、リサイクルされるか、堆肥化されるか、又は環境に適合した方法で処分されるように構成されてもよい）。
【００１１】
本明細書において、「パンツ」（「トレーニングパンツ」、「予め閉じたおむつ」、「おむつパンツ」、「パンツ型おむつ」、及び「プルオンおむつ」とも称される）という用語は、幼児又は成人の着用者のために設計された、連続的な周囲腰部開口部及び連続的な周囲脚部開口部を有する、使い捨て吸収性物品を指す。パンツは、物品が着用者に適用されるのに先立って、連続的な又は閉じた腰部開口部と、少なくとも１つの連続的な閉じた脚部開口部とを有して構成することができる。
【００１２】
本明細書で使用するとき、「機械方向」（ＭＤ）という用語は、あるプロセスを通る材料の流れの方向を指す。それに加えて、材料の相対的配置及び動きは、あるプロセスを通してそのプロセスの上流からそのプロセスの下流に向かう機械方向に流れているものとして説明されてもよい。
【００１３】
本開示は、吸収性物品で使用される、弾性材料などの材料のスプールを巻き出す方法及び装置に関する。より詳細には、本明細書の装置は、材料のスプールを巻き出す巻出し装置と、材料のスプールを巻出し装置上に装填する装填装置とを対象とする。より詳細に後述するように、巻出し装置は、弾性材料などの材料のスプールを支持するように適合された心棒を含んでもよい。心棒は、フレームによって実質的に取り囲まれてもよい。更に、巻出し装置は、装填装置と係合するように構成することができる。装填装置は、ベース部材と、ベース部材から延在する装填シャフトとを含んでもよい。装填シャフトは、撚られた材料の交換用スプールを支持するように構成されてもよい。ベース部材は、巻出し装置のフレームと解放可能に接続可能であってもよい。より詳細に後述するように、巻出し装置及び装填装置は再構成可能であってもよい。例えば、第１の構成では、交換用スプールが装填装置から巻出し装置まで動かされてもよいようにして、装填装置が巻出し装置と係合されてもよい。第２の構成では、装填装置は巻出し装置と係合解除されてもよく、心棒は１つ以上の材料のスプールを支持してもよい。
【００１４】
本明細書における装置の様々な配置及び構成は、様々なタイプの材料を装填し巻き出すのに使用されてもよいことが認識されるべきである。例えば、より詳細に後述するように、本開示による装置は、おむつなどの吸収性物品の様々な構成要素の生産において利用されてもよい。例えば、おむつを製造するのに使用される材料のウェブ及び構成部品としては、バックシート、トップシート、吸収性コア、前側耳部及び／又は後側耳部、締結具構成要素、並びに弾性ウェブを含む様々なタイプのウェブ、並びに脚部弾性体、バリアレッグカフ弾性体、及び腰部弾性体などの構成要素を挙げることができる。後に続くプロセスの実施形態の考察に対して更なる文脈を提供するのを助けるため、本明細書に開示される方法及び装置によって供給されてもよい材料を含む構成要素を含む、おむつの形態の吸収性物品に関する概要説明を以下に提供する。
【００１５】
図１及び図２は、本明細書に開示される装置及び方法を用いて組み立てられてもよい、おむつパンツ１００の一例を示す。特に、図１は、予め締結された構成のおむつパンツ１００の斜視図を示し、図２は、着用者から離れる方向に面するおむつの部分が観察者の方を向いて配向されている、おむつパンツ１００の平面図を示す。図１及び図２に示されるおむつパンツ１００は、シャーシ１０２と環状弾性ベルト１０４とを含む。より詳細に後述するように、第１の弾性ベルト１０６及び第２の弾性ベルト１０８が互いに接続されて、環状弾性ベルト１０４を形成している。
【００１６】
図２を続けて参照すると、シャーシ１０２は、第１の腰部区域１１６と、第２の腰部区域１１８と、第１の腰部区域及び第２の腰部区域の中間に配設された股部区域１１９とを含む。第１の腰部領域１１６は前側腰部領域として構成されてもよく、第２の腰部領域１１８は後側腰部領域として構成されてもよい。いくつかの実施形態では、前側腰部領域、後側腰部領域、及び股部領域１２０のそれぞれの長さは、吸収性物品１００の長さの１／３であってもよい。おむつ１００はまた、前側腰部領域１１６内において横方向に延在する前側腰部縁部１２１と、長手方向に対向し、かつ後側腰部領域１１８内において横方向に延在する後側腰部縁部１２２とを含んでもよい。本考察に関する基準枠を提供するため、図２のおむつ１００及びシャーシ１０２は、長手方向軸線１２４及び横方向軸線１２６と併せて示される。いくつかの実施形態では、長手方向軸線１２４は、前方腰部縁部１２１及び後方腰部縁部１２２を通って延在してもよい。横断方向軸線１２６は、シャーシ１０２の第１の長手方向側縁部、つまり右側縁部１２８を通り、かつ第２の長手方向側縁部、つまり左側縁部１３０の中点を通って延在し得る。
【００１７】
図１及び図２に示されるように、おむつパンツ１００は、内側の身体に面する表面１３２と、外側の衣類に面する表面１３４とを含んでもよい。シャーシ１０２は、バックシート１３６とトップシート１３８とを含んでもよい。シャーシ１０２はまた、トップシート１３８及びバックシート１３６の一部分の間に配設されてもよい、吸収性コア１４２を含む吸収性アセンブリ１４０を含んでもよい。より詳細に後述するように、おむつ１００はまた、着用者の脚の周りでのフィット性を高めるため、脚部弾性体及び／又はレッグカフなど、他の特徴を含んでもよい。
【００１８】
図２に示されるように、シャーシ１０２の周囲は、第１の長手方向側縁部１２８及び第２の長手方向側縁部１３０；第１の腰部領域１１６に配設される第１の横方向に延在する端縁部１４４；並びに、第２の腰部領域１１８に配設される第２の横方向に延在する端縁部１４６によって画成されてもよい。側縁部１２８及び１３０は両方とも、第１の端縁部１４４と第２の端縁部１４６との間を長手方向に延在する。図２に示されるように、横方向に延在する端縁部１４４及び１４６は、前側腰部領域１１６の横方向に延在する前側腰部縁部１２１、及び後側腰部領域１１８の横方向に延在する後側腰部縁部１２２から、長手方向内側に配置される。おむつパンツ１００が着用者の下部胴体に着用されるとき、シャーシ１０２の前側腰部縁部１２１及び後側腰部縁部１２２は、着用者の腰の一部分を包囲してもよい。同時に、シャーシ側縁部１２８及び１３０は、着用者の脚部の少なくとも一部分を包囲してもよい。また、股部領域１２０は、吸収性コア１４２が前側腰部領域１１６から股部領域１２０を通って後側腰部領域１１８まで延在する状態で、着用者の脚の間に全体的に位置決めされてもよい。
【００１９】
また、おむつ１００の一部分又は全体は更に、横方向に延伸性であるようにされてもよいことが認識されるべきである。この追加の延伸性は、着用者が動いている間、おむつ１００が着用者の身体に適応するのを可能にする助けとなってもよい。更なる延伸性はまた、異なるサイズの着用者に対して追加の身体適用範囲を提供するため、即ちおむつを個々の着用者に合わせて調整するため、例えば、延伸前に特定のサイズを有するシャーシ１０２を含むおむつ１００のユーザが、おむつ１００及び／又はシャーシ１０２の前側腰部領域１１６、後側腰部領域１１８、又は両方の腰部領域を延伸させるのを可能にする助けとなってもよい。腰部領域（１つ以上）のかかる延伸は、股部領域の延伸の程度が腰部領域（１つ以上）よりも相対的に少ない限り、吸収性物品にほぼ砂時計形状を与えてもよく、また物品が着用されたときにぴったりと合った外観を物品に付与してもよい。
【００２０】
上述したように、おむつパンツ１００はバックシート１３６を含んでもよい。バックシート１３６はまた、シャーシ１０２の外表面１３４を画成してもよい。バックシート１３６は、流体（例えば、経血、尿、及び／又は液状の糞便）に対して不透過性であってもよく、薄いプラスチックフィルムから製造されてもよいが、他の可撓性の液体不透過性材料も使用されてもよい。バックシート１３６は、吸収性コアに吸収され封じ込められた排出物が、ベッドシーツ、パジャマ、及び下着など、おむつ１００に接触する物品を濡らすのを防いでもよい。バックシート１３６はまた、織布若しくは不織布材料、ポリエチレン若しくはポリプロピレンの熱可塑性フィルムなどの高分子フィルム、並びに／又はフィルム及び不織布材料を含む多層若しくは複合材料（例えば、内側のフィルム層と外側の不織布層とを有する）を含んでもよい。バックシートはまた、エラストマーフィルムを含んでもよい。例示のバックシート１３６は、厚さが約０．０１２ｍｍ（０．５ミル）〜約０．０５１ｍｍ（２．０ミル）のポリエチレンフィルムであってもよい。例示的なポリエチレンフィルムは、Ｃｌｏｐａｙ  Ｃｏｒｐｏｒａｔｉｏｎ（Ｃｉｎｃｉｎｎａｔｉ，Ｏｈｉｏ）によってＢＲ−１２０及びＢＲ−１２１の製品名で、またＴｒｅｄｅｇａｒ  Ｆｉｌｍ  Ｐｒｏｄｕｃｔｓ（Ｔｅｒｒｅ  Ｈａｕｔｅ，Ｉｎｄ）によってＸＰ−３９３８５の製品名で製造されているものである。バックシート１３６はまた、より布様の外観を提供するため、エンボス加工及び／又はつや消し仕上げされてもよい。更に、バックシート１３６は、蒸気を吸収性コアから逃がし（即ち、バックシートは通気性である）、同時に依然として排出物がバックシート１３６を通過するのを防いでもよい。バックシート１３６のサイズは、吸収性コア１４２のサイズ及び／又はおむつ１００の特定の構造若しくはサイズによって決定されてもよい。
【００２１】
やはり上述したように、おむつパンツ１００はトップシート１３８を含んでもよい。トップシート１３８はまた、シャーシ１０２の内表面１３２の全体又は一部を画成してもよい。トップシート１３８は、柔軟であり、ソフトな感触を有し、着用者の皮膚に対して非刺激性であってもよい。トップシート１３８は、一方向又は二方向に弾性的に伸縮性であってもよい。更に、トップシート１３８は液体透過性であって、その厚さを通して液体（例えば、経血、尿、及び／又は液状の糞便）を浸透させてもよい。トップシート１３８は、織布及び不織布材料；有孔若しくはハイドロフォームド熱可塑性フィルム；有孔不織布、多孔質発泡体；網状発泡体；網状熱可塑性フィルム；並びに熱可塑性スクリムなど、広範囲の材料から製造されてもよい。織布及び不織布材料は、木繊維若しくは綿繊維などの天然繊維；ポリエステル、ポリプロピレン、若しくはポリエチレン繊維などの合成繊維；又はそれらの組み合わせを含んでもよい。トップシート１３８が繊維を含む場合、その繊維は、スパンボンド処理、毛羽立て加工、湿式処理、メルトブロー処理、水流交絡処理、又は当該技術分野において既知の別の処理を施されてもよい。
【００２２】
トップシート１３８は、高ロフト不織布トップシート、有孔フィルムトップシート、及び有孔不織布トップシートから選択されてもよい。有孔フィルムトップシートは、身体排出物に対して透過性であるが、実質的に非吸収性であり、流体がトップシートを逆戻りして着用者の皮膚を再び濡らす傾向を低減してもよい。例示の有孔フィルムとしては、米国特許第５，６２８，０９７号、同第５，９１６，６６１号、同第６，５４５，１９７号、及び同第６，１０７，５３９号に記載されるものを挙げることができる。
【００２３】
上述したように、おむつパンツ１００はまた、シャーシ１０２に接合される吸収性アセンブリ１４０を含んでもよい。図２に示されるように、吸収性アセンブリ１４０は、前側腰部領域１１６内において横方向に延在する前縁部１４８を有してもよく、長手方向に対向し、かつ後側腰部領域１１８内において横方向に延在する後縁部１５０を有してもよい。吸収性アセンブリは、長手方向に延在する右側縁部１５２を有してもよく、また横方向に対向し、かつ長手方向に延在する左側縁部１５４を有してもよく、吸収性アセンブリの側縁部１５２及び１５４は両方とも、前縁部１４８と後縁部１５０との間を長手方向に延在してもよい。吸収性アセンブリ１４０は、１つ以上の吸収性コア１４２又は吸収性コア層を追加で含んでもよい。吸収性コア１４２は、トップシート１３８とバックシート１３６との間に少なくとも部分的に配設されてもよく、また、おむつと適合性がある様々なサイズ及び形状で形成されてもよい。本開示の吸収性コアとして使用される例示的な吸収性構造が、米国特許第４，６１０，６７８号、同第４，６７３，４０２号、同第４，８８８，２３１号、及び同第４，８３４，７３５号に記載されている。
【００２４】
吸収性コアのいくつかの実施形態は、低減された量のセルロース系エアフェルト材料を含有する流体貯蔵コアを備えてもよい。例えば、かかるコアは、約４０％未満、３０％未満、２０％未満、１０％未満、５％未満、又は更には約１％未満のセルロース系エアフェルト材料を含んでもよい。かかるコアは、少なくとも約６０％、７０％、８０％、８５％、９０％、９５％、又は更には約１００％の量の吸収性ゲル化材料を主に含んでもよく、コアの残りはマイクロファイバー接着剤を含む（適用可能な場合）。かかるコア、マイクロファイバー接着剤、及び吸収性ゲル化材料が、米国特許第５，５９９，３３５号、同第５，５６２，６４６号、同第５，６６９，８９４号、及び同第６，７９０，７９８号、並びに米国特許出願公開第２００４／０１５８２１２号、及び同第２００４／００９７８９５号に記載されている。
【００２５】
おむつ１００はまた、弾性化したレッグカフ１５６を含んでもよい。レッグカフ１５６は、脚部バンド、側部フラップ、バリアカフ、弾性カフ、又はガスケッティングカフと称することができ、また場合によってはそのようにも称されることが認識されるべきである。弾性化したレッグカフ１５６は、脚部領域における身体排出物の漏れを低減する助けとなるように、様々な方法で構成されてもよい。例示のレッグカフ１５６は、米国特許第３，８６０，００３号、同第４，９０９，８０３号、同第４，６９５，２７８号、同第４，７９５，４５４号、同第４，７０４，１１５号、同第４，９０９，８０３号、米国特許出願公開第２００９／０３１２７３０Ａ１号、及び米国特許出願公開第２０１３／０２５５８６５Ａ１号に記載されているものを含んでもよい。
【００２６】
上述したように、おむつパンツは、環状弾性ベルト１０４を備えて製造され、着用者に適用されるのに先立って、前側腰部領域１１６及び後側腰部領域１１８がパッケージ化される際に互いに接続された構成で、消費者に提供されてもよい。そのため、おむつパンツは、図１に示されるような、連続的な周囲腰部開口部１１０及び連続的な周囲腰部開口部１１２を有してもよい。上述したように、環状弾性ベルト１０４は、第１の弾性ベルト１０６とそれに接続された第２の弾性ベルト１０８とによって画成される。図２に示されるように、第１の弾性ベルト１０６は、第１及び第２の対向する端部領域１０６ａ、１０６ｂと、中央領域１０６ｃとを画成し、第２の弾性ベルト１０８は、第１及び第２の対向する端部領域１０８ａ、１０８ｂと、中央領域１０８ｃとを画成する。
【００２７】
第１の弾性ベルトの中央領域１０６ｃは、シャーシ１０２の第１の腰部領域１１６と接続され、第２の弾性ベルト１０８の中央領域１０８ｃは、シャーシ１０２の第２の腰部領域１１８と接続される。図１に示されるように、第１の弾性ベルト１０６の第１の端部領域１０６ａは、第１のサイドシーム１７８で第２の弾性ベルト１０８の第１の端部領域１０８ａと接続され、第１の弾性ベルト１０６の第２の端部領域１０６ｂは、第２のサイドシーム１８０で第２の弾性ベルト１０８の第２の端部領域１０８ｂと接続されて、環状弾性ベルト１０４並びに腰部開口部１１０及び脚部開口部１１２を画成する。
【００２８】
図２、図３Ａ、及び図３Ｂに示されるように、第１の弾性ベルト１０６はまた、外側横方向縁部１０７ａ及び内側横方向縁部１０７ｂを画成し、第２の弾性ベルト１０８は、外側横方向縁部１０９ａ及び内側横方向縁部１０９ｂを画成する。外側横方向縁部１０７ａ、１０９ａはまた、前側腰部縁部１２１及び横方向に延在する後側腰部縁部１２２を画成してもよい。また、第１の弾性ベルト及び第２の弾性ベルトはそれぞれ、外側の衣類に面する層１６２と、内側の着用者に面する層１６４とを含んでもよい。第１の弾性ベルト１０６及び第２の弾性ベルト１０８は、同じ材料を含んでもよく、及び／又は同じ構造を有してもよいことが認識されるべきである。いくつかの実施形態では、第１の弾性ベルト１０６及び第２の弾性ベルトは、異なる材料を含んでもよく、及び／又は異なる構造を有してもよい。また、第１の弾性ベルト１０６及び第２の弾性ベルト１０８は、様々な材料から構築されてもよいことも認識されるべきである。例えば、第１及び第２のベルトは、プラスチックフィルム；有孔プラスチックフィルム；天然繊維（例えば、木繊維若しくは綿繊維）、合成繊維（例えば、ポリオレフィン、ポリアミド、ポリエステル、ポリエチレン、若しくはポリプロピレン繊維）、又は天然繊維及び／若しくは合成繊維の組み合わせによる織布ウェブ又は不織布ウェブ；あるいはコーティングされた織布又は不織布ウェブから製造されてもよい。いくつかの実施形態では、第１及び第２の弾性ベルトは、合成繊維の不織布ウェブを含んでもよく、伸縮性の不織布を含んでもよい。他の実施形態では、第１及び第２の弾性ベルトは、内側の疎水性で非伸縮性の不織布材料と、外側の疎水性で非伸縮性の不織布材料とを含んでもよい。
【００２９】
また、第１及び第２の弾性ベルト１０６、１０８はそれぞれ、外層１６２と内層１６４との間に間置されたベルト状弾性材料を含んでもよい。ベルト状弾性材料は、ストランド、リボン、又はパネルなど、弾性ベルトの長さに沿って延在する１つ以上の弾性要素を含んでもよい。図２、図３Ａ、及び図３Ｂに示されるように、ベルト状弾性材料は複数の弾性ストランド１６８を含んでよく、これらは本明細書では、外側腰部弾性体１７０及び内側腰部弾性体１７２と称されることがある。
【００３０】
図２に示されるように、外側腰部弾性体１７０は、第１の弾性ベルト１０６の第１及び第２の対向する末端領域１０６ａ、１０６ｂの間を、中央領域１０６ｃを横切って、また第２の弾性ベルト１０８の第１及び第２の対向する端部領域１０８ａ、１０８ｂの間を、中央領域１０８ｃを横切って、横方向に連続して延在する。いくつかの実施形態では、いくつかの弾性ストランド１６８は、所々で不連続性を有するように構成されてもよい。例えば、図２に示されるように、内側腰部弾性体１７２は、第１及び第２の弾性ベルト１０６、１０８に沿って断続的に延在する。より詳細には、内側腰部弾性体１７２は、第１及び第２の対向する端部領域１０６ａ、１０６ｂに沿って、第１の弾性ベルト１０６の中央領域１０６ｃを部分的に横切って延在する。内側腰部弾性体１７２はまた、第１及び第２の対向する端部領域１０８ａ、１０８ｂに沿って、第２の弾性ベルト１０８の中央領域１０８ｃを部分的に横切って延在する。そのため、内側腰部弾性体１７２は、第１及び第２の弾性ベルト１０６、１０８の中央領域１０６ｃ、１０８ｃの全体を横切って延在するわけではない。したがって、いくつかの弾性ストランド１６８は、第１及び第２の弾性ベルト１０６、１０８が吸収性アセンブリ１４０と重なり合う、第１及び第２の弾性ベルト１０６、１０８の領域を通って連続的に延在しなくてもよい。いくつかの実施形態では、いくつかの弾性ストランド１６８は、第１及び第２の弾性ベルト１０６、１０８が吸収性アセンブリ１４０と重なり合う、第１及び第２の弾性ベルト１０６、１０８の領域内へと部分的に延在してもよい。いくつかの実施形態では、いくつかの弾性ストランド１６８は、第１及び第２の弾性ベルト１０６、１０８が吸収性アセンブリ１４０と重なり合う、第１及び第２の弾性ベルト１０６、１０８のいずれの領域内へと延在しなくてよい。第１の弾性ベルト１０６及び／又は第２の弾性ベルト１０８は、外側腰部弾性体１７０及び／又は内側腰部弾性体１７２の様々な不連続構成を有するように構成されてもよいことが認識されるべきである。
【００３１】
いくつかの実施形態では、弾性ストランド１６８は、長手方向において一定間隔で配設されてもよい。別の実施形態では、弾性ストランド１６８は、長手方向において異なる間隔で配設されてもよい。より詳細に後述するように、ベルト状弾性ストランド１６８は、伸張状態で、収縮されていない外層と収縮されていない内層との間に間置され接合されてもよい。ベルト状弾性材料が弛緩すると、ベルト状弾性材料は、非伸張状態に戻り、外層及び内層を収縮させる。ベルト状弾性材料は、環状弾性ベルトの範囲内で望ましい収縮力の変動をもたらしてもよい。シャーシ１０２及び弾性ベルト１０６、１０８は、図２に示されるのとは異なる方法で構成されてもよいことが認識されるべきである。
【００３２】
上述したように、本開示による装置及び方法は、別個の吸収性物品１００、並びに／あるいは、例えばシャーシ１０２、弾性ベルト１０６、１０８、及び／又はレッグカフ１５６など、吸収性物品１００の様々な構成要素を組み立てるのに利用されてもよい。以下の方法は、図１及び図２に示されるおむつ１００の文脈で提供されることがあるが、本明細書の方法及び装置は、例えば、米国特許第７，５６９，０３９号、米国特許出願公開第２００５／０１０７７６４Ａ１号、同第２０１２／００６１０１６Ａ１号、同第２０１２／００６１０１５Ａ１号、同第２０１３／０２５５８６１Ａ１号、同第２０１３／０２５５８６２Ａ１号、同第２０１３／０２５５８６３Ａ１号、同第２０１３／０２５５８６４Ａ１号、及び同第２０１３／０２５５８６５Ａ１号に開示されているものなど、様々なプロセス構成及び／又は吸収性物品と共に使用されてもよいことが認識されるべきであり、それら全てを参照により本明細書に組み込む。
【００３３】
本開示による装置及び方法は、例えば、弾性ベルト１０６、１０８及び／又はレッグカフ１５６など、吸収性物品の様々な構成要素で使用されてもよい、弾性積層体を組み立てる材料を供給するのに利用されてもよい。かかる弾性積層体は、供給された材料を２つ以上の基材層の間に位置決めすることによって組み立てられてもよい。弾性積層体は、例えば、米国特許第８，４４０，０４３号、並びに米国特許出願公開第２０１３／０２５５８６１Ａ１号、同第２０１３／０２５５８６２Ａ１号、同第２０１３／０２５５８６３Ａ１号、同第２０１３／０２５５８６４Ａ１号、及び同第２０１３／０２５５８６５Ａ１号に開示されている方法及び装置にしたがって、様々な方法で構築されてもよいことが認識されるべきであり、それら全てを参照により本明細書に組み込む。以下の方法は、図１及び図２に示されるおむつ１００の文脈で提供されることがあるが、弾性積層体は、例えば、２００４年１１月１０日に出願された米国特許第７，５６９，０３９号、２００４年１１月１０日に出願された米国特許出願公開第２００５／０１０７７６４Ａ１号、２０１１年８月３０日に出願された米国特許出願第１３／２２１，１２７号、及び２０１１年８月３０日に出願された米国特許出願第１３／２２１，１０４号に開示されている吸収性物品など、本明細書に開示される方法にしたがって製造されるおむつの様々な実施形態と共に使用できることが認識されるべきであり、それら全てを参照により本明細書に組み込む。
【００３４】
図４は、吸収性物品１００の製造で使用される材料の装填及び／又は巻出しに使用されてもよい、巻出し装置２００の一実施形態を示す。図示されるように、巻出し装置は心棒２０８を含んでもよい。心棒２０８は、近位端部分２１０と、近位端部分２１０とは反対側の遠位端部分２１２と、中央長手方向心棒軸線２１６とを含んでもよい。心棒２０８はまた、図４に示されるように、少なくとも２つのスプールを支持するのに十分な長さであってもよい、心棒長さＭＬを有してもよい。例示の実施形態では、心棒長さＭＬは、約８ｃｍ〜約５１ｃｍ（約３インチ〜約２０インチ）であってもよい。心棒２０８の一部分は心棒支持部材２１４によって支持されてもよい。心棒支持部材２１４は心棒２０８と関連付けられてもよい。心棒２０８に対する心棒支持部材２１４の動きについては、更に詳細に後述する。心棒２０８は、スプール２２２、２３２を支持するように適合されてもよい。スプール２２２、２３２は、コア２２４、２３４と、コアの周りに巻かれる材料のストランド２２６、２３６とを含んでもよい。スプール２２２、２３２は、機械方向ＭＤに対して実質的に平行であってもよい、中央長手方向心棒軸線２１６を全体的に取り囲む。より具体的には、スプール２２２、２３２のコアは、心棒２０８の外表面を取り囲んでもよい。
【００３５】
一般に、スプール２２２、２３２のコア２２４、２３４の周りに巻かれた材料２２６、２３６は、巻き出され、制御デバイス２２０内へと供給されてもよい。制御デバイス２２０は、巻出し速度、巻き出される材料の張力、及び製造ラインへの材料の供給に影響する他の変数を調整するのに使用されてもよい。例示の制御デバイスが、２００９年１１月２５日に出願された米国特許第７，８７８，４４７号、及び２００６年１２月２９日に出願された米国特許第７，９０５，４４６号に開示されており、それら全てを参照により本明細書に組み込む。
【００３６】
制御デバイス２２０は、制御デバイス２２０内への材料２２６、２３６の入口点２７８が中央長手方向心棒軸線２１６と一致するようにして配置されてもよい。したがって、材料２２６、２３６は、中央長手方向心棒軸線２１６に対して巻出し角度θで巻き出されてもよい。１つの例示の実施形態では、巻出し角度θは約５°〜約２５°であってもよい。角度θはスプールの半径に基づくことが認識されるべきである。最大巻出し角度θは、スプールが最初に巻出しを始め、材料が中央長手方向心棒軸線２１６から最も離れて位置するときに生じてもよい。最小巻出し角度θは、スプールが空になる直前、及び／又は巻き出されている材料がコアと接触しているときに生じてもよい。
【００３７】
装填装置２５０は、材料２４６の交換用スプール２４２を支持するように構成されてもよい。スプールを支持し、巻出し装置と除去可能に係合するため、装填装置２５０は、ベース部材２５２と装填シャフト２５４とを含んでもよい。装填シャフト２５４は、近位端部分２５６と、近位端部分２５６とは反対側の遠位端部分２５８と、中央長手方向シャフト軸線２１８とを含んでもよい。装填シャフト２５４の近位端部分２５６は、ベース部材２５２と接続されてもよい。装填シャフト２５４の遠位端部分２５８は、心棒２０８の近位端部分２１０と解放可能に接続可能であってもよい。交換用スプール２４２は、中央長手方向シャフト軸線２１８を実質的に取り囲み、装填シャフト２５４の近位端部分２５６と遠位端部分２５８との間で可動であってもよい。言い換えると、交換用スプール２４２はコア２４４を含んでもよい。コア２４４は、装填シャフト２５４の近位端部分２５６と遠位端部分２５８との間で可動であってもよい。
【００３８】
いくつかの実施形態では、装填装置２５０の追加の支持が求められることがある。例えば、特定の例では、交換用スプール２４２を保持する装填装置２５０は、オペレータ自身が支持するのには重すぎることがある。したがって、いくつかの実施形態では、装填装置２５０はまた、ベース部材２５２から延在してもよい、だぼ部材２６０を含んでもよい。だぼ部材２６０は、巻出し装置２００のフレーム２０４によって画成される開口部２０６を係合するように構成されてもよい。巻出し装置２００はだぼ部材２６０を含んでもよく、ベース部材２５２は開口部２０６を画成してもよいことが認識されるべきである。したがって、だぼ部材２６０はフレーム２０４から延在してもよく、開口部２０６は、だぼ部材２０６を受け入れるように構成されてもよい（図示なし）。更に、巻出し装置２００はフレーム２０６から延在するだぼ部材２６０を含んでもよく、フレーム２０６はまた、開口部２０６を画成してもよい。同様に、装填装置２５０は、開口部２０６を画成するベース部材２５２を含み、ベース部材２５２から延在するだぼ部材２６０を含んでもよい（図示なし）。開口部２０６に受け入れられるだぼ部材２６０は、交換用スプール２４２が装填装置２５０から巻出し装置２００へと動かされる際の、装填装置２５０の追加の支持を提供してもよい。任意の数のだぼ部材及びそれに対応する任意の数の開口部が、装填装置に追加の支持を提供するために使用されてもよいことが認識されるべきである。例えば、単一のだぼ部材及びそれに対応する単一の開口部が、いくつかの実施形態で使用されてもよい。また、いくつかの実施形態では、装填装置の追加の支持が不要の場合、巻出し装置はだぼ部材及びそれに対応する開口部を含まなくてもよいことが認識されるべきである。
【００３９】
上述したように、巻出し装置及び装填装置は再構成可能であってもよい。例えば、第１の構成では、装填シャフト２５０は、スプールが装填装置から巻出し装置へと、またその逆に動かされてもよいようにして、巻出し装置２００と関連付けられてもよい。より具体的には、装填シャフト２５４の遠位端部分２５８は、心棒２０８の近位端部分２１０と関連付けられてもよい。更に、ベース部材２５２はフレーム２０４と関連付けられてもよい。心棒支持部材２１４は、交換用スプールが装填シャフト２５４に沿って心棒２０８上へと動くことができるように、心棒２０８から分離されてもよい。第２の構成では、巻出し装置は装填装置と分離されてもよい。より具体的には、装填シャフト２５４の遠位端部分２５８は、心棒２０８の近位端部分２１０と分離されてもよく、ベース部材２５２はフレーム２０４と分離されてもよい。更に、心棒支持部材２１４は心棒２０８と関連付けられてもよい。これらの構成はそれぞれ、以下の開示を考慮して更に良く理解されるであろう。
【００４０】
図５及び図６を参照すると、巻出し装置２００は、吸収性物品１００を製造するための材料２０２を提供してもよい。製造速度、スプールのサイズ、及び供給要件に応じて、製造ラインに対する材料の中断されない供給を作り出すために、材料のスプールを比較的頻繁に交換するのが必要なことがある。図５及び図６に示されるように、スプールが空になってスプールのコアのみが残っているとき、空のスプール２４８が心棒２０８の遠位端部分２１２上に配設されることがある。空のスプール２４８に第１のスプール２２２が隣接していることがある。第１のスプール２２２は、図１１に示されるように、第１のコア２２４と、第１のコア２２４の周りに巻かれた弾性材料の第１のスタンド２２６とを含んでもよい。材料ラインを供給するスプールは、本明細書では、活性スプールとも称される。第１のスプール２２２は、空のスプール２４８が製造ラインを供給しなくなった時点で活性スプールとなってもよい。
【００４１】
弾性材料のストランド２２６が巻き出される際、心棒２０８は第１のスプール２２２を支持する。心棒２０８は、フレーム２０４から離れ、弾性材料のストランド２０２の巻出し方向に向かって延在する、実質的に剛性の部材であってもよい。いくつかの実施形態では、心棒２０８の直径は、スプールが心棒２０８の表面を中心にして回転するか、又は回転しないようにするのを可能にするようにサイズ決めされてもよい。心棒２０８の直径は、図１１に示されるように、コア直径ＤＣよりも小さくてもよい。コア直径ＤＣは、約２０ｍｍ〜約２２５ｍｍ、及び／又は約５０ｍｍ〜約２００ｍｍ、及び／又は約７５ｍｍ〜約１５０ｍｍであって、それらの間の．０１ｍｍの増分を全て含んでもよい。例えば、いくつかの実施形態では、心棒２０８は、約２０ｍｍ〜約２２５ｍｍ、及び／又は約２４ｍｍ〜約１９９ｍｍ、及び／又は約７４ｍｍ〜約１５４ｍｍの直径を含み、それらの間の．０１ｍｍの増分を全て含んでもよい。いくつかの例示の実施形態では、スプール２２２、２３２のコア２２４、２３４は、心棒２０８を中心にして回転しなくてもよい。心棒２０８は、コア２２４、２３４が心棒２０８の外側にぴったり適合するようにサイズ決めされてもよい。これによって、コア２２４、２３４を心棒２０８の長さに沿って軸線方向に摺動させることが可能になるが、中央長手方向心棒軸線２１６を中心にしたコア２２４、２３４の回転は阻害される。
【００４２】
いくつかの実施形態では、心棒は長手方向心棒軸線を中心にして回転してもよい。したがって、心棒２０８の直径は、スプールの回転を制御するようにサイズ決めされてもよい。言い換えると、スプールは、心棒２０８が長手方向心棒軸線２１６を中心にして回転するのに伴って回転してもよい。
【００４３】
心棒２０８は、心棒支持部材２１４によって支持されてもよい。心棒支持部材２１４は、心棒２０８と関連付けられて、スプールの心棒２０８への装填及び／又は心棒２０８からの取り出しを可能にしてもよい。更に、心棒支持部材２１４は、巻出し装置２００のフレーム２０４と可動で接続されてもよい。心棒支持部材２１４は、第１のブロック部材２６８と第２のブロック部材２７０とを含んでもよい。心棒支持部材２１４は、心棒２０８に対して適切な支持を提供する任意のデバイスであってもよい。例えば、いくつかの実施形態では、心棒支持部材２１４はまた、１つ以上のアームを含んでもよい。
【００４４】
図５及び図６を引き続き参照すると、材料のストランドを有さないコアを含む空のスプール２４８、及び第１のスプール２２２の作動によって、第２のスプール２３２が巻出し装置２００上に装填されてもよいことをオペレータに合図してもよい。装填装置２５０は、第２のスプール２３２を巻出し装置２００上に装填するのに使用されてもよい。装填装置２５０は、装填シャフト２５４とベース部材２５２とを含んでもよい。装填シャフト２５４は、ベース部材２５２と接続される近位端部分２５６と、ベース部材２５２とは反対側の遠位端部分２５８とを含んでもよい。装填シャフト２５４は、第２のスプール２３２を受け入れるように適合されてもよい。第２のスプール２３２は、コア２４４（図示なし）と、コア２４４の周りに巻かれた弾性材料の第２のスタンド２３６とを含んでもよい。第２のスプール２３２は、本明細書では交換用スプール２４２とも称される。第２のスプール２３２のコア２４４は、装填シャフト２５４の長さに沿って可動であってもよい。
【００４５】
装填シャフト２５４は、第１の円周２７４と第２の円周２７６とを含んでもよい。第１の円周２７４は、第２の円周２７６よりも大きいか、小さいか、又はそれに等しくてもよい。第１の円周２７４及び第２の円周２７６は、心棒２０８の円周に等しいか、それよりも大きいか、又は小さくてもよい。１つの例示の実施形態では、第２の円周２７６は、心棒２０８の円周よりも小さいか、又は大きくてもよい。装填シャフト２５４は、シャフトが心棒２０８の外表面を実質的に取り囲むか、又は別の例示の実施形態では、心棒２０８の内表面内に嵌合するようにサイズ決めされてもよいような、第２の円周２７４を含んでもよい。いずれの構成においても、第２の円周２７６によって、交換用スプール２４２を装填する間、装填シャフト２５４が心棒２０８と係合し、それを支持することが可能になってもよい。
【００４６】
例えば、いくつかの実施形態では、装填シャフト２５４は、第１の円周２７４と第２の円周２７６とを含んでもよい。第１の円周２７４は、図５に示されるように、第２の円周２７６よりも大きくてもよい。第２の円周２７６を有する装填シャフト２５４の部分は、心棒２０８の内表面の円周よりも小さくてもよい。したがって、第２の円周２７６を有する装填シャフト２５４は、心棒２０８と摺動可能に係合してもよい。装填シャフト２５４は、心棒２０８の内表面の円周よりも大きくてもよい、第１の円周２７４を有する装填シャフト２５４の部分まで、心棒２０８の内部の中へと摺動してもよい。
【００４７】
いくつかの実施形態では、装填装置２５０はまた、だぼ部材２６０を含んでもよい。だぼ部材２６０は、ベース部材２５２から、装填シャフト２５４に対して実質的に平行な方向に延在してもよい。他の実施形態では、だぼ部材２６０はまた、ベース部材２５２を通って延在してもよい。一般に、だぼ部材２６０は、フレーム２０４によって画成される開口部２０６によって受け入れられるように構成されてもよい。フレーム２０４はだぼ部材を含んでもよく、ベース部材２５２は開口部（図示なし）を画成してもよいことが認識されるべきである。したがって、ベース部材内の開口部は、フレームから、かつ／又はフレームを通って延在するだぼ部材を受け入れるように構成されてもよい。任意の数のだぼ部材及びそれに対応する任意の数の開口部が、装填装置を適切に支持するのに使用されてもよいことが認識されるべきである。例えば、２つのだぼ部材及びそれに対応する２つの開口部が、いくつかの実施形態で使用されてもよい。
【００４８】
次に図７を参照すると、巻出し装置２００が装填装置２５０と係合されて、交換用スプール２４２を装填してもよい。より具体的には、装填装置２５０のベース部材２５２は、巻出し装置２５０のフレーム２０４と関連してもよい。それに加えて、装填装置２５０は巻出し装置２００を係合してもよく、それによって、装填シャフト２５４の遠位端部分２５８が心棒２０８の内表面又は外表面と摺動可能に係合されてもよい。１つの例示の実施形態では、遠位端部分２５８は、心棒２０８の近位端部分２１０で、心棒２０８の内部に入ってもよい。装填シャフト２５４の遠位端部分２５８は、装填装置２５０が、交換用スプール２４２を心棒２０８上へと動かすための適所に位置するまで、心棒２０８の内表面に沿って摺動してもよい。いくつかの実施形態では、装填シャフト２５４の遠位端部分２５８は、心棒２０８の近位端部分２１０の外表面を実質的に取り囲んでもよい。装填シャフト２５４の遠位端部分２５８が心棒２０８の近位端部分２５６と関連付けられたとき、中央長手方向心棒軸線２１６は、中央長手方向シャフト軸線２１８に対して実質的に平行であってもよい。
【００４９】
装填シャフト２５４の遠位端部分２５８が心棒２０８の近位端部分２５６と関連付けられたとき、中央長手方向心棒軸線２１６は、中央長手方向シャフト軸線２１８と実質的に一致してもよい。長手方向心棒軸線２１６は、中央長手方向シャフト軸線２１８に対して実質的に平行であってもよい。更に別の実施形態では、装填シャフト２５４の遠位端部分２５８が心棒２０８の近位端部分２５６と関連付けられたとき、中央長手方向心棒軸線２１６及び中央長手方向シャフト軸線２１８は、機械方向ＭＤに対して実質的に平行であってもよい。
【００５０】
更に、だぼ部材２６０は、ベース部材２５２及びフレーム２０４の少なくとも１つに取り付けられてもよい。だぼ部材２６０は、交換用スプール２４２を移送する間、装填装置２５０及び／又は心棒２０８に対して追加の安定性を提供するのに使用されてもよい。１つの例示の実施形態では、図７に示されるように、だぼ部材２６０は、フレーム２０４によって画成される開口部２０６を通って延在してもよい。
【００５１】
上述したように、装填シャフト２５４は、心棒２０８の外表面の円周よりも大きいか、又はそれに等しい、第１の円周２７４を有する表面を有してもよい。したがって、装填装置２５０が巻出し装置２００を係合し、それによって装填シャフト２５４が心棒２０８を摺動可能に係合すると、第１の円周２７４はガイドとして作用してもよい。より具体的には、装填装置２５０は、装填シャフト２５４の第１の円周２７４が心棒２０８の外表面の円周に当接する地点まで、巻出し装置２００を係合してもよい。装填シャフト２５４の第１の円周２７４は、製造オペレータに対して、装填シャフト２５４が心棒２０８の外表面の円周に当接したときに装填デバイス２５０が適所にあることを示してもよい。第１の円周２５４は、心棒２０８内へとそれ以上摺動可能に前進しないように、装填装置２５０を止めてもよい。
【００５２】
次に図８Ａ及び図８Ｂを参照すると、装填シャフト２５４の遠位端部分２５８が心棒２０８の近位端部分２５６と関連付けられてもよいように、装填装置２５０が巻出し装置２００と係合され、心棒２０８が装填装置２０５から十分な支持を有すると、心棒支持部材２１４は心棒２０８から分離されてもよい。図８Ａに示されるように、心棒支持部材２１４が心棒２０８から分離されると、装填装置２５０は心棒２０８を支持してもよい。心棒支持部材２１４は、交換用スプール２４２が装填シャフト２５４から心棒２０８へと動かされてもよいように、分離されてもよい。
【００５３】
図８Ａ、図８Ｂ、及び図８Ｃに示されるように、心棒支持部材２１４は、第１の支持ブロック部材２６８と第２の支持ブロック部材２７０とを含んでもよい。第１の支持ブロック部材２６８及び第２の支持ブロック部材２７０の少なくとも１つは、図８Ｃに示されるような支持キー２８６、２８７を含んでもよい。支持キー２８６、２８７は、支持ブロック部材に接続されてもよく、かつ／又は支持ブロック部材２６８、２７０の一部分に機械加工されてもよい。支持ブロックに接続された支持キー２８６は、心棒２０８の外表面の一部分に接続された、かつ／又はそれに機械加工された心棒キーと対応してもよい。支持キー２８６、２８７は、心棒キーと組み合わせて、装填装置２５０の係合前、及び交換用スプール２４２を心棒２０８上に移送した後の、心棒２０８の適切な配置及び整列を担保するのに使用されてもよい。心棒２０８を解除するには、第１の支持ブロック２６８及び第２の支持ブロック２７０が、中央長手方向心棒軸線２１６に対して実質的に垂直な方向に動いてもよい。第１の支持ブロック２６８及び第２の支持ブロック２７０は、第２のスプール２３２が装填装置２５０から心棒２０８上へと前進するのに十分な空間を提供するように、心棒２０８から離れる任意の方向に動いてもよい。
【００５４】
いくつかの例示の実施形態では、心棒支持部材２１４は、図８Ｄに示されるように、クランプとも称されるアーム２８０を含んでもよい。アーム２８０は心棒２０８に枢動可動に接続されてもよい。より具体的には、アーム２８０は、フレーム２０４に接続されてもよいアームピン２８２を中心にして回転可能であってもよい。アーム２８０は、機械方向ＭＤに対して実質的に垂直な方向に延在してもよい。いくつかの実施形態では、アームピン２８２によって、アームが回転し、かつ／又は心棒２０８の長さに沿って可動であることが可能にされてもよい。したがって、アーム２８０はアームピン２８２を摺動可能に係合してもよい。アーム２８０は、アームピンに対して実質的に垂直な方向に、アームピン２８２から外向きに延在し、心棒２０８の遠位端部分２１２、近位端部分２１０、及び／又はそれらの間の長さに沿った任意の部分のいずれか１つに枢動可能に接続してもよい。いくつかの実施形態では、アーム２８０は、アームピンとは反対側に、心棒２０８を支持してもよいホルダ部分２８４を含んでもよい。ホルダ部分２８４は、心棒２０８を安定させることを可能にする任意の構造を含んでもよいことが認識されるべきである。例えば、ホルダ部分２８４は、図８Ｄに示されるような２つの直立部分、及び／又は凹状部分、及び／又は凸状部分、及び／又は単一の直立部分を含んでもよい。上記と同様に、アーム２８０はまた、交換用スプール２４２の装填前後において、心棒２０８が適切な整列及び位置を維持することを担保する、心棒キーに対応する支持キー２８７を含んでもよい。１つを超えるアームが心棒２０８を支持するのに使用されてもよいことが認識されるべきである。
【００５５】
図８Ｂを参照すると、心棒支持部材２１４は心棒２０８と分離されてもよい。更に、装填装置２５０は巻出し装置２００と係合されてもよい。より具体的には、装填シャフト２５４は心棒２０８と摺動可能に係合されてもよい。次に、交換用スプール２４４は、装填シャフト２５４に沿って、装填シャフトの遠位端部分２５８に向かって動いてもよい。交換用スプール２４４は、フレーム２０４の開口部２７２を通過し、心棒２０８上に至ってもよい。交換用スプール２４４は、装填シャフト２５４及び心棒２０８に沿って機械方向ＭＤで、手動及び／又は機械によって動かされてもよい。例えば、オペレータは、装填シャフトの長さに沿って、心棒２０８上へと交換用スプール２４４を手で押すことによって、スプールを手動で動かしてもよい。オペレータの手がスプールと直接相互作用してもよく、又はオペレータは、剛性のレバーなどのデバイスを使用して、スプールを係合し摺動させてもよい。いくつかの例示の実施形態では、スプールは、モータなどによって機械的に動かされてもよい。より具体的には、巻出し装置及び装填装置２５０の少なくとも１つはまた、デバイスを動作可能に係合して交換用スプールのコア又は他の任意の部分に力を働かせて、スプールを装填シャフト２５４から心棒２０８上へと動かしてもよい、モータ（図示なし）を含んでもよい。
【００５６】
図９を参照すると、交換用スプール２４２とも称される第２のスプール２３２が、第１のスプール２２２に隣接して位置決めされてもよい。１つの実施形態では、第２のスプール２３２は第１のスプール２３２を係合してもよく、第１のスプール２２２及び第２のスプール２３２は両方とも、心棒２０８の遠位端部分２１２に向かって動いてもよい。第１及び第２のスプール２２２、２３２が前進するにしたがって、図８Ｂに示されるように、第１のスプール２２２は空のスプール２４８を係合してもよい。第１のスプール２２２は、空のスプール２４８を押して心棒２０８の遠位端部分２１２から外してもよい。交換用スプール２４２の装填及び空のスプールの除去の間、製造ラインは、第１のスプール２２２によって材料の第１のストランドを連続的に供給されてもよいことが認識されるべきである。したがって、コアを含んでもよい空のスプール２４８は、重力によって、心棒２０８の遠位端部分２１２から落下するように構成されてもよい。更に、空のスプール２４８のコアは、コアがスプールから巻き出されている材料と相互作用した場合に、コアが材料の巻出しを中断しない、かつ／又は材料を損傷しないように設計されてもよい。いくつかの実施形態では、空のスプール２４８は、特定の時間に、押されて心棒２０８の遠位端部分２１２から外されてもよい。より具体的には、空のスプール２４８は、空のスプール２４８がスプール２２２から巻き出されている材料に接触しなくなる時間に、押されて心棒２０８の遠位端部分２１２から外されてもよい。更に、いくつかの実施形態では、押されて心棒２０８の遠位端部分２１２から外されている空のスプール２４８は、ボウル又は他の保持容器に収集されてもよく、それによって空のスプール２４８が、巻出し動作と干渉せず、かつ／又は巻出しデバイスの周りで働いているオペレータの安全性を妨げることがなくなる。
【００５７】
第１のスプール２２２及び第２のスプール２４２が心棒２０８の遠位端部分２１２に向かって進行すると、心棒支持部材２１４は心棒２０８を再係合してもよい。上述したように、心棒２０８は心棒キーを含んでもよく、心棒支持部材２１４は、図８Ｃ及び図８Ｄに示されるように、支持キー２８６、２８７を含んでもよい。心棒支持部材２１４が心棒２０８を係合すると、心棒キーは支持キーと関連して、心棒支持部材２１４が心棒２０８と適切に係合されるのを担保すると共に、心棒２０８がスプール２４２、２２２を巻き出すのに適切な位置及び整列を維持するのを担保してもよい。
【００５８】
一定した材料のストリームを製造ラインに供給するため、第１のスプール２２２は第２のスプール２４２に接続されてもよい。図１０及び図１１を参照すると、第１のスプール２２２は、第１のコア２２４と、材料の第１のストランド２２６とを備えてもよい。同様に、交換用スプール２４２とも称される第２のスプール２３２は、第２のコア２３４と、第２のコア２３４の周りに巻かれた材料の第２のストランド２３６とを備えてもよい。更に、材料の第１のストランドは、第１の端部部分２２８と、第１の端部部分２２８とは反対側の第２の端部部分２３０とを備えてもよい。より具体的には、材料の第１のストランド２２６の第２の端部部分２３０は、第１のスプール２２２の第１のコア２２４に隣接してもよい。同様に、材料の第２のストランド２３６は、第１の端部部分２３８と第２の端部部分２４０とを備えてもよい。材料の第２のストランド２３６の第２の端部部分２４０は、第２のスプール２３２の第２のコア２３４に隣接してもよい。したがって、操作の間、材料の第１のストランド２２６の第１の端部部分２２８は巻き出され、制御デバイス２２０を通されてもよい。更に、材料の第１のストランド２２６の第２の端部部分２３０は、材料の第２のストランド２３６の第１の端部部分２３８に取り付けられてもよく、それによって、第１のスプール２２２が空になると、第２のスプール２３２が直ぐに巻き出されて、一定した材料のストリームを製造ラインに提供してもよい。材料の第２のストランド２３６の第２の端部部分２４０は、次の交換用スプールに取り付けられてもよいことが認識されるべきである。
【００５９】
心棒支持部材２１４が心棒２０８を十分に支持しているとき、装填装置２５４は、図１２に示されるように、巻出し装置２００から係合解除されてもよい。より具体的には、装填装置２５０のだぼ部材２６０は、フレーム２０６によって画成された開口部２０６から除去されてもよい。フレーム２０６はだぼ部材２０６を含んでもよく、装填装置２５０は、上述したように、開口部２０６を画成してもよいことが認識されるべきである。更に、装填装置２５０の装填シャフト２５４は、装填シャフト２５４が心棒２０８と接触しなくなるように、心棒２０８に沿って摺動させられてもよい。
【００６０】
いくつかの実施形態では、巻出し装置２００は、コア２４４のみを含んでもよい空のスプール２４８を廃棄及び／又は除去するように構成された、図１３及び図１４に示されるような除去構成要素２９０を含んでもよい。除去構成要素２９０は、破壊構成要素２８８と保護構成要素２９２とを含んでもよい。破壊構成要素２８８は、心棒２０８の遠位端部分２１２に隣接してもよい。破壊構成要素２８８は、空のスプール２４８が心棒２０８の遠位端部分２１２に向かって動かされると、破壊構成要素２８８がコア２４４を含む空のスプール２４８を妨害してもよいように位置決めされてもよい。破壊構成要素２８８は、空のスプール２４８のコア２４４を削って２つ以上の個片にするように構成されてもよい。したがって、破壊構成要素２８８は、空のスプール２４８をいくつかの個片に解体してもよい、ブレード又は他のデバイスを含んでもよい。コアの個片を捕捉するために、真空が心棒２０８に流体接続されてもよい。例えば、真空は、心棒２０８の近位端部分２１０に適用されてもよく、それによって空のスプールのコアの個片が心棒２０８の内部部分に吸い込まれてもよい。より具体的には、コアの個片は、遠位端部分２１２に向かって心棒２０８の内部に入り、心棒２０８の長さを心棒２０８の近位端部分２１０に向かって移動し、そこで個片が次に真空デバイスによって除去されてもよい。図１４に示される矢印Ｄは、コアの個片が移動する方向を示している。
【００６１】
いくつかの実施形態では、保護構成要素２９２は破壊構成要素２８８を実質的に取り囲んでもよい。保護構成要素２９２は、破壊構成要素２８８の付近で働いているオペレータを保護するように構成されてもよい。更に、保護構成要素２９２は、コアの個片を心棒２０８の内部内へと方向付けるのを支援してもよい。更にまた、保護構成要素２９２は、空のスプール２４８が破壊構成要素２８８によって削られるときに発生することがある、あらゆる塵又は破片を制御するのを支援してもよい。
【００６２】
保護構成要素２９２及び破壊構成要素２８８は、これらの構成要素がスプール２２２、２３２からの材料２２６、２３６の巻出しと干渉しないように設計されてもよいことが認識されるべきである。いくつかの実施形態では、保護構成要素２９２及び／又は破壊構成要素２８８は後退可能であってもよい。より具体的には、保護構成要素２９２及び／又は破壊構成要素２８８は、スプールから巻き出されている材料が保護構成要素２９２及び／又は破壊構成要素２８８に接触しないように（図示なし）、後退してもよい。
【００６３】
いくつかの実施形態では、巻き出している材料が保護構成要素２９２及び破壊構成要素２８８に接触するのを防ぐため、巻出し装置２００は、図１５に示されるように、心棒２０８の遠位端部分２１２に隣接した回転可能なアーム２９６を含んでもよい。本開示の巻出し装置と共に使用される例示的な回転アームが、米国特許出願公開第２０１３／０１１２７９４号及び同第２０１３／０１１２８００号に記載されており、それら全てを参照により本明細書に組み込む。回転可能なアーム２９６は、材料２２６、２３６をスプール２２２、２３２から巻き出すのを支援するのに使用されてもよい。より具体的には、回転可能なアーム２９６は、中央長手方向心棒軸線２１６から材料２２６、２３６がスプール２２２、２３２を離れる地点までの距離である、巻出し半径Ｒが、材料がスプールから巻き出される際に一定のままであることを可能にしてもよい。言い換えると、回転可能なアーム２９６は、巻出し半径Ｒが、材料２１６が保護構成要素２９２及び／又は破壊構成要素２８８と干渉する地点まで低減されるのを防いでもよい。
【００６４】
上記を考慮して、弾性材料を巻出し装置上に装填する方法は、以下のステップを含んでもよい。巻出し装置２００は、フレームと、近位端部分及び遠位端部分を含む心棒と、フレーム及び心棒と接続された心棒支持部材とを含んでもよい。第１のスプールは心棒上で支持されてもよく、第１のスプールは、第１のコアと、第１のコアの周りに巻かれた弾性材料の第１のストランドとを含んでもよい。弾性材料の第１のストランドは、心棒の遠位端を越える方向に、第１のコアから巻き出されてもよい。第２のコアと、第２のコアの周りに巻かれた弾性材料の第２のストランドとを含む、第２のスプールが提供されてもよい。第２のスプールは装填シャフト上に配置されてもよい。装填シャフトは、近位端部分及び遠位端部分を含んでもよい。装填シャフトは心棒と関連付けられてもよく、心棒支持部材は心棒と分離されてもよい。より具体的には、装填シャフトの遠位端部分は、心棒の近位端部分と摺動可能に係合されてもよい。
【００６５】
いくつかの実施形態では、ベース部材はフレームと関連付けられて、心棒に対して追加の支持を提供してもよい。より具体的には、ベース部材がだぼ部材を含んでもよく、フレームが開口部を含んでもよく、あるいは、ベース部材が開口部を含んでもよく、フレームがだぼ部材を含んでもよい。いずれの例でも、だぼ部材が開口部に挿入されてもよい。
【００６６】
第２のスプールは、支持シャフトに沿って心棒上へと軸線方向に動かされてもよい。次に、支持部材は心棒と再び関連付けられてもよく、装填シャフトはフレーム及び心棒から分離されてもよい。空のスプールは、第１のコアを心棒に沿って第２のコアで押すことによって、心棒の遠位端部分から除去されてもよい。
【００６７】
上記に加えて更に、第１のストランドは第１の端部部分及び第２の端部部分を含んでもよく、第２のストランドは第１の端部部分及び第２の端部部分を含んでもよい。方法は、第１のストランドの第２の端部部分を第２のストランドの第１の端部部分と接続するステップを更に含んでもよい。更にまた、心棒支持部材は、フレームと可動で接続された第１のブロック部材及び第２のブロック部材を備えてもよい。したがって、心棒支持部材を心棒から分離するステップは、第１のブロック部材及び第２のブロック部材を、長手方向心棒軸線に対して実質的に垂直な方向に動かすステップを更に含む。いくつかの実施形態では、心棒支持部材は、フレームと枢動可能に接続されたアームを含んでもよく、心棒支持部材を心棒から分離するステップは、アームを枢動させるステップを含んでもよい。
【００６８】
本明細書で開示する寸法及び値は、列挙される正確な数値に厳密に限定されるものとして理解されるべきではない。その代わりに、特に指定がない限り、かかる寸法はそれぞれ、列挙される値及びその値の周辺の機能的に同等の範囲の両方を意味するものとする。例えば、「４０ｍｍ」として開示される寸法は、「約４０ｍｍ」を意味するものとする。あらゆる相互参照又は関連特許若しくは特許出願を含む、本明細書に引用される文献は全て、明示的に除外されるか又は別の形で限定される場合を除いて、本明細書にその全容を参照により組み込むものである。いずれの文献の引用も、本明細書で開示又は特許請求される任意の発明に対する先行技術であることを容認するものではなく、あるいは他のあらゆる参照文献との任意の組み合わせにおいて、かかる任意の発明を教示、示唆、又は開示していることを容認するものでもない。更に、本文書における用語のいずれかの意味又は定義が、参照により組み込まれる文献における同じ用語の意味又は定義と矛盾する範囲について、本文書においてその用語に与えられた意味又は定義が優先するものとする。
【００６９】
本発明の特定の実施形態について図示し記載してきたが、本発明の趣旨及び範囲から逸脱することなく他の様々な変更及び修正を行い得ることが、当業者には自明であろう。したがって、本発明の範囲内にある全てのかかる変更及び修正を、添付の特許請求の範囲において網羅するものとする。
【図１】
0006273035.tif 000002
【図２】
0006273035.tif 000003
【図３Ａ】
0006273035.tif 000004
【図３Ｂ】
0006273035.tif 000005
【図４】
0006273035.tif 000006
【図５】
0006273035.tif 000007
【図６】
0006273035.tif 000008
【図７】
0006273035.tif 000009
【図８Ａ】
0006273035.tif 000010
【図８Ｂ】
0006273035.tif 000011
【図８Ｃ】
0006273035.tif 000012
【図８Ｄ】
0006273035.tif 000013
【図９】
0006273035.tif 000014
【図１０】
0006273035.tif 000015
【図１１】
0006273035.tif 000016
【図１２】
0006273035.tif 000017
【図１３】
0006273035.tif 000018
【図１４】
0006273035.tif 000019
【図１５】
0006273035.tif 000020